(57)【特許請求の範囲】
【請求項１】
空気を吸引し浄化して該空気に含まれるウイルスや細菌を捕捉して空気を排出する空気浄化装置であって、
空気を吸引する吸引部と、
該吸引部によって吸引される空気に含まれるウイルスや細菌を捕捉して浄化する浄化部と、
該浄化部によって浄化された空気を排出する排出部と、を備えており、
前記浄化部は、
内部にフィルタが充填されたフィルタケースと、
該フィルタケースを着脱可能に収容する収容空間を有する本体部と、を備えており、
前記本体部は、
前記吸引部と前記収容空間との間を分離する分離プレートを備えており、
該分離プレートには、
前記収容空間と前記吸引部とを連通する連通孔が形成されており、
前記フィルタケースには、
該フィルタケースを前記本体部の収容空間内に配置した状態において、前記分離プレートの連通孔に挿入され、該連通孔に挿入されるとその内部を通して該フィルタケース内と前記吸引部との間を連通する挿入部と、
外部と該フィルタケース内とを連通する吸引口と、が形成されている
ことを特徴とする空気浄化装置。
【請求項２】
前記吸引部が、
空気を吸引する吸引手段を備えており、
前記排出部が、
一端が前記吸引手段に連結された、前記吸引部と外部との間を連通する排気通路を備えており、
前記浄化部が、
前記吸引部および前記排出部に対して着脱可能に連結されており、
前記吸引部および前記排出部に連結されると、前記吸引手段が内部に配置される吸引手段収容部を備えている
ことを特徴とする請求項１の空気浄化装置。
【請求項３】
前記排出部には、前記吸引手段収容部と連通される開口が形成されており、
前記吸引手段収容部には、前記排出部の開口に挿入しうる連結部が設けられており、
該連結部は、
前記排出部の開口に挿入された状態において、前記吸引手段収容部内と前記排出部の排気通路とを連通する連通通路を備えている
ことを特徴とする請求項１または２記載の空気浄化装置。
【請求項４】
前記浄化部の連通通路における空気が吸引される側の吸引口近傍に、前記排気通路から排出される空気を供給する気流形成部が設けられており、
該気流形成部は、
該気流形成部から排出される空気の流れが、前記吸引口に吸引される空気の流れと交差するように配置されている
ことを特徴とする請求項１、２または３記載の空気浄化装置。
【発明の詳細な説明】
【技術分野】
【０００１】
本発明は、吸引した空気を浄化して排出することができる空気浄化装置に関する。
【背景技術】
【０００２】
室内に設置され、簡易的に室内の空気を浄化する装置が開発されている（特許文献１）。
特許文献１の空気清浄機は、空気を吸い込むための吸い込み口と清浄化された空気を吹き出すための吹き出し口を有するケーシングを備えている。このケーシング内には、互いに隔離された第１室、第２室および第３室が設けられており、２室に設けられたファンによって、この順に空気が流れるようになっている。
そして、特許文献１の空気清浄機では、第１室に濾過機能を持つプレフィルタと高性能濾過機能を持つフィルタが設けられているので、循環用のファンを作動させれば、室内の空気をプレフィルタ等に通すことによって浄化できる。
しかも、特許文献１の空気清浄機は、第３室内の空気の一部を室外に排気する室内陰圧保持用のファンが設けられており、室内に戻す空気を少なくできるから、室内を陰圧に保つことができる。
【０００３】
しかるに、特許文献１の空気清浄機では、フィルタを交換する際には、吸い込み口が形成されているケーシングの下部外板パネルを取り外して、第１室から各フィルタを取りださなければならない。すると、第１室では、フィルタは被覆されていないので、かかる交換の際に、フィルタに付着しているウイルス等が飛散する可能性があり、飛散したウイルスに作業者が感染する可能性が高くなる。
【先行技術文献】
【特許文献】
【０００４】
【特許文献１】特開２００３−１８５２０４号公報
【発明の概要】
【発明が解決しようとする課題】
【０００５】
本発明は上記事情に鑑み、フィルタ交換を容易かつ安全に実施することができる空気浄化装置を提供することを目的とする。
【課題を解決するための手段】
【０００６】
第１発明の空気浄化装置は、空気を吸引し浄化して該空気に含まれるウイルスや細菌を捕捉して空気を排出する空気浄化装置であって、空気を吸引する吸引部と、該吸引部によって吸引される空気に含まれるウイルスや細菌を捕捉して浄化する浄化部と、該浄化部によって浄化された空気を排出する排出部と、を備えており、前記浄化部は、内部にフィルタが充填されたフィルタケースと、該フィルタケースを着脱可能に収容する収容空間を有する本体部と、を備えており、前記本体部は、前記吸引部と前記収容空間との間を分離する分離プレートを備えており、該分離プレートには、前記収容空間と前記吸引部とを連通する連通孔が形成されており、前記フィルタケースには、該フィルタケースを前記本体部の収容空間内に配置した状態において、前記分離プレートの連通孔に挿入され、該連通孔に挿入されるとその内部を通して前記吸引部と該フィルタケース内とを連通する挿入部と、外部と該フィルタケース内とを連通する吸引口と、が形成されていることを特徴とする。
第２発明の空気浄化装置は、第１発明において、前記吸引部が、空気を吸引する吸引手段を備えており、前記排出部が、一端が前記吸引手段に連結された、前記吸引部と外部との間を連通する排気通路を備えており、前記浄化部が、前記吸引部および前記排出部に対して着脱可能に連結されており、前記吸引部および前記排出部に連結されると、前記吸引手段が内部に配置される吸引手段収容部を備えていることを特徴とする。
第４発明の空気浄化装置は、第１または第２発明において、前記排出部には、前記吸引手段収容部と連通される開口が形成されており、前記吸引手段収容部には、前記排出部の開口に挿入しうる連結部が設けられており、該連結部は、前記排出部の開口に挿入された状態において、前記吸引手段収容部内と前記排出部の排気通路とを連通する連通通路を備えていることを特徴とする。
第５発明の空気浄化装置は、第１、第２または第３発明において、前記浄化部の連通通路における空気が吸引される側の吸引口近傍に、前記排気通路から排出される空気を供給する気流形成部が設けられており、該気流形成部は、該気流形成部から排出される空気の流れが、前記吸引口に吸引される空気の流れと交差するように配置されていることを特徴とする。
【発明の効果】
【０００７】
第１発明によれば、吸引部によって空気を吸引すれば、浄化部のフィルタによって空気を浄化して、排出部から排出することができる。しかも、フィルタがフィルタケースに収容されており、フィルタケースが浄化部の本体部に着脱可能であるから、フィルタをフィルタケースに収容したままを交換することができる。すると、フィルタ交換の際に、フィルタに付着しているウイルス等が飛散して飛散したウイルスに作業者が感染する可能性を低くすることができる。そして、挿入部を連通孔に挿入すると、フィルタケース内のフィルタで浄化された空気を確実に吸引部に供給することができる。しかも、挿入部によって吸引部と収容空間とを隔離できるので、フィルタを通過しない空気が吸引部に吸引されることを防ぐことができる。とくに、挿入部の外面が連通孔の内面と密着するようにしたり、挿入部の外面および／または連通孔の内面に弾性を有するシール部材を設けたりすれば、吸引部と収容空間とを気密に隔離できる。すると、フィルタを通過しない空気が吸引部に吸引されることをより確実に防ぐことができる。
第２発明によれば、浄化部を取り外せば、吸引手段を露出させることができるので、吸引手段のメンテナンス作業が容易になる。
第３発明によれば、連通部が排気部の開口に挿入された状態で、浄化部と排気部が連結されるので、浄化部から排気部に流れる空気が外部に漏れる可能性を低くすることができる。
第４発明によれば、気流形成部から排出される空気が吸引口から吸引される空気の流れと交差するように流れる。このため、この気流形成部から排出される空気の流れによって、粉じんや埃などの比較的大きな粒状物が吸引口から吸引されることを防ぐことができるから、大きな粒状物よってフィルタが目詰まりすることなどを防ぐことができる。よって、フィルタを長期間使用することができるから、空気浄化装置のメンテナンス性等を向上させることができる。
【図面の簡単な説明】
【０００８】
【図１】（Ａ）は本実施形態の空気浄化装置１の概略斜視図であり、（Ｂ）、（Ｃ）は本実施形態の空気浄化装置１の使用状況の説明図である。
【図２】本実施形態の空気浄化装置１の概略縦断面図である。
【図３】図２のIII−III断面矢視図である。
【図４】（Ａ）は図３のIVA−IVA断面矢視図であり、（Ｂ）は図３のIVB−IVB断面矢視図である。
【図５】気流形成部３０を設けた空気浄化装置１の要部拡大断面図である。
【図６】本実施形態の空気浄化装置１の使用状態の概略説明図である。
【図７】他の実施形態の空気浄化装置１の概略縦断面図である。
【図８】図７のVII−VII断面矢視図である。
【図９】気流形成部３０の他の実施形態を示した図である。
【発明を実施するための形態】
【０００９】
つぎに、本発明の実施形態を図面に基づき説明する。
本発明の空気浄化装置は、フィルタによって空気を浄化する装置であって、フィルタ交換を容易にし、かつ、フィルタ交換の際における作業者のウイルス感染等を効果的に防止できるようにしたことに特徴を有している。
まず、本発明の空気浄化装置の詳細を説明する前に、本発明の空気浄化装置の使用状況を説明する。
【００１０】
図１（Ａ）に示すように、本実施形態の空気浄化装置１は、吸引した空気を浄化する浄化部１０と、この浄化部１０で浄化された空気を排出する排出部２０とを備えている。
なお、空気浄化装置１は、浄化部１０内に空気を吸引しその空気を、排出部２０を通して外部に排出させる、例えば、ポンプやブロア等の吸引手段１５（図２参照）も備えている。
【００１１】
図１（Ｂ）、（Ｃ）において、符号Ｒは隔離室を示している。この隔離室Ｒは、外部と気密に隔離された空間を内部に有しており、この空間内に、ウイルス等に感染した患者を隔離したり、逆に、抵抗力の弱った人を隔離したりしておくために使用されるものである。
【００１２】
図１（Ｂ）では、ウイルス等に感染した患者を隔離しておく隔離室Ｒ、つまり、外部に空気を排出させない陰圧室として使用した例を示している。かかる用途で隔離室Ｒを使用する場合には、配管Ｐ等を介して浄化部１０に設けられている吸引口10aと隔離室Ｒ内の空間とが連通される一方、吸引した空気が排出部２０の排出口20bから隔離室Ｒ外に排出されるように、本実施形態の空気浄化装置１を設置する。すると、吸引手段１５によって隔離室Ｒ内の空気を吸引すれば、隔離室Ｒ内を陰圧にすることができる。しかも、隔離室Ｒから吸引した空気は、浄化部１０のフィルタ１２によって浄化されてから外部に排出されるので、ウイルス等が隔離室Ｒ外に排出されることを防ぐことができる。
【００１３】
図１（Ｃ）では、抵抗力の弱った人を隔離しておく隔離室Ｒ、つまり、外部から空気が入らない陽圧室として使用した例を示している。かかる用途で隔離室Ｒを使用する場合には、配管Ｐ等を介して排出部２０の排出口20bと隔離室Ｒ内の空間とを連通する一方、浄化部１０の吸引口10aから外部の空気が吸引されるように、本実施形態の空気浄化装置１を設置する。すると、吸引手段１５によって外部の空気を吸引すれば、この空気を浄化してから隔離室Ｒ内に供給することができるし、隔離室Ｒ内が外部よりも高い圧力となるから隔離室Ｒ内に外気が入らないようにすることができる。
【００１４】
つまり、本実施形態の空気浄化装置１は、空気を吸引する吸引手段１５と、吸引した空気をフィルタ１２によって浄化する浄化部１０を備えているので、本実施形態の空気浄化装置１を隔離室Ｒに接続すれば、隔離室Ｒを、ウイルス等に感染した患者を隔離する陰圧室や、抵抗力の弱った人を隔離したりしておく陽圧室として機能させることができるのである。
【００１５】
また、本実施形態の空気浄化装置１の大きさはとくに限定されないが、例えば、本実施形態の空気浄化装置１を、そのサイズが、縦200〜300ｍｍ程度、横150〜200ｍｍ程度、奥行き80〜120ｍｍ程度、となるように形成すれば、人が背負って使用することも可能になるので好ましい。
例えば、ウイルス等が蔓延している地域やその他の有害な物質が存在する領域で作業を行う場合には、作業者が外気を直接吸わないように、または、作業者が外気と直接接触しないようにしなければならない。すると、図６に示すように全身を覆う防護服Ｗを着用するか、頭部を覆うマスクを着用することが必要になる。この場合、防護服Ｗ内やマスク内に空気を供給しなければならないが、本実施形態の空気浄化装置１を背負える大きさとすれば、本実施形態の空気浄化装置１から、防護服Ｗ内やマスク内に外気を浄化した空気を供給することができる。そして、本実施形態の空気浄化装置１の場合、外気を浄化して防護服Ｗ内やマスク内に供給しているので、ボンベなどに比べて長時間使用することが可能になり、作業時間の制限を少なくすることができるので、作業効率を向上させることができる。
【００１６】
なお、本実施形態の空気浄化装置１を背負える状態にする場合、空気浄化装置１をポリウレタンなどで形成されたカバー内に密封した状態で収容しておくことが好ましい。そして、防水性を有するファスナーなどによって、空気浄化装置１を入れるための開口を閉じることができるようにしておけば、作業後に防護服Ｗなどとともにカバーも消毒液等で殺菌することが可能となる。
また、本実施形態の空気浄化装置１  は、後述する浄化部１０の吸引口10aや排出部２０の排出口20bにホースや配管などを取り付けることができる取付管を設けておいてもよい（図２、図５、図７参照）。すると、ホースや配管など着脱が容易になる。かかる取付管は、その一端に雄ネジを形成し、浄化部１０の吸引口10aや排出部２０の排出口20bの内面に形成された雌ネジに螺合するようにしておけば、取付管を確実に取り付けておくことができるし、取付管自体の着脱も容易になるので、好ましい。
【００１７】
（本実施形態の空気浄化装置１の説明）
つぎに、本実施形態の空気浄化装置１の構造を説明する。
図２に示すように、本実施形態の空気浄化装置１は、浄化部１０と、排出部２０と、吸引手段１５と、を備えている。
【００１８】
（排出部２０の説明）
図２に示すように、排出部２０は、筒状に形成された中空な本体２１を備えている。この本体２１は、その軸方向の両端が閉じられており、その内部が、その軸方向に沿って伸びた分割プレート20dによって、空間20hと空間20sに気密に分割されている（図３および図４（Ｂ））。
なお、本体２１の他端（図２および図４（Ｂ）では下端、以下、本体２１の下端という）は、板状の底板１６によって閉じられており、この底板１６は本体２１の側面から外方まで延びているが、その理由は後述する。
また、空間20sは、後述する吸引手段１５を制御する機器や電源などが収容される空間である。
【００１９】
図２および図４（Ｂ）に示すように、本体２１内において、分割プレート20dによって分割された一方の空間20hは、本体２１の軸方向の一端（図２および図４（Ｂ）では上端、以下、上端という）に形成された排出口20bによって、外部と連通されている。
また、本体２１の下端において、底板１６が外方まで延びている側面には、空間20hと外部との間を連通する流入口20aが形成されている（図４（Ｂ）参照）。つまり、本体２１は、空間20hによって流入口20aから排出口20bまで連通する通路が形成されているのである。
【００２０】
なお、空間20h内には、空間20hの３面、つまり、流入口20aが設けられている側面以外の側面には消音材２２が配置されている（図３参照）。
また、空間20hの下端部には、流入口20aと対向する位置に傾斜壁２３が設けられている。この傾斜壁２３は、流入口20a側から流入口20a側と対向する側面に向かって上傾するように配設されている。この傾斜壁２３は、必ずしも設けなくてもよいが、かかる傾斜壁２３を設けておけば、流入口20aから空間20hに流入した空気をスムースに排出口20bに向かって流すことができるという効果が得られるので、好ましい。
【００２１】
（吸引手段１５の説明）
図２および図４（Ａ）に示すように、上述したように、排出部２０の本体２１の底板１６は本体２１の側面から外方まで延びているが、この底板１６の上面には、吸引手段１５が設けられている。
この吸引手段１５は、例えば、ブロア等の吸気口から吸引した空気を排気口に排出する機能を有するものであり、その排気口に接続された配管15aが、排気部２０の本体２１の流入口20aから本体２１の空間20h内に挿入されている。つまり、吸引手段１５から排出された空気は、本体２１の空間20h内に流入するようになっているのである。
【００２２】
（浄化部１０の説明）
図２および図４（Ａ）に示すように、前記底板１６の上面には、筒状に形成された中空な浄化部１０の本体１１が着脱可能に取り付けられている。
【００２３】
この本体１１は、排気部２０の本体２１とは異なり、その軸方向の一端（図２および図４（Ａ）では上端、以下、上端という）は閉じられているが、その軸方向の他端（図２および図４（Ａ）では下端、以下、下端という）は開放されている。
この本体２１の下端は、底板１６において本体２１の側面から外方まで延びている部分と嵌りあう形状に形成されており、その下端を底板１６に固定すると、下端の開口が底板１６によって閉じられ、かつ、その一の側面（図２では右方の側面）が排気部２０における流入口20aが形成された面と面接触するような形状に形成されている。
しかも、本体１１における排気部２０と密着する側面には、開口10sが形成されている（図４（Ａ）参照）。この開口10sの上端縁と側端縁（図４（Ａ）では左方の端縁）にのみ挿入壁10cが形成されている。つまり、挿入壁10cは、略Ｌ字状に形成されているのである（図４（Ａ）参照）。
この挿入壁10cは、特許請求の範囲に言う連通部に相当するものであり、本体１１内および本体１１外にいずれも突出する部分を備えている。そして、本体１１外に突出している部分は、本体２１の下端を底板１６に取り付けたときに、本体２１の流入口20aに挿入でき、しかも、流入口20aの内端縁と接触する程度の大きさに形成されている。
【００２４】
つまり、浄化部１０は、その本体１１を吸引手段１５に上方から被せて、挿入壁10cを流入口20aに挿入するように移動させれば、浄化部１０を底板１６、つまり、排出部２０の本体２１に取り付けることができるのである。
また、浄化部１０を排出部２０から取り外す際には、挿入壁10cが流入口20aから抜けるように本体１１を移動させた後、本体１１が底板１６から離間するように、言い換えれば、本体１１を上方に引き抜くように移動させれば、本体１１を浄化部１０を排出部２０から取り外すことができるようになっているのである。
【００２５】
また、図２および図４（Ａ）に示すように、本体１１の上端には、本体１１内部の中空な空間10hと外部との間を連通する吸引口10aが形成されている。
一方、本体１１の上端と下端との間には、流出口10cよりも上端側に、支持プレート１３が設けられている。この支持プレート１３には、プレートの表裏を貫通する貫通孔10bが形成されており、この貫通孔10bによって空間10hにおける支持プレート１３の上端側と下端側との間は連通されている。
【００２６】
図２および図４（Ａ）に示すように、本体１１の空間10hにおいて、本体１１の上端と支持プレート１３との間の部分には、フィルタ１２が充填されている。つまり、本体１１の軸方向に沿って空間10h内を空気が流れるときには、その空気が必ずフィルタ１２を通過するようになっているのである。
【００２７】
フィルタ１２は、目の比較的荒い埃等を捕捉する除塵用フィルタと、ＨＥＰＡフィルタやセミＨＥＰＡフィルタ、ＵＬＰＡフィルタ等のように埃等に加えて細菌等も捕捉できる細菌等捕捉用フィルタとを備えており、吸引口10aから貫通孔10bにむかって、除塵用フィルタ、細菌等捕捉用フィルタの順に配置されている。
なお、フィルタ１２は上記のごとき構成に限られず、使用する環境に合わせて最適な構成とすればよく、その組み合わせや並べる順番もとくに限定されない。
【００２８】
以上のごとき構造であるので、浄化部１０の本体１１を底板１６に固定した状態で吸引手段１５を作動させれば、浄化部１０の吸引口10aから本体１１の空間10h内に空気を吸引することができる。
すると、吸引された空気は、空間10h内のフィルタ１２を通過するので、フィルタ１２を通過する間に、空気中に含まれる埃等に加えてウイルスなどが捕捉されて吸引した空気は浄化される。
浄化された空気は、吸引手段１５の排気口から排出され、排出部２０の本体２１の流入口20aを通って排出部２０の本体２１の空間20h内に流入し、排出口20bから外部に排出される。
つまり、本実施形態の空気浄化装置１を作動させれば、フィルタ１２によって吸引した空気を浄化して排出することができるのである。
【００２９】
そして、本実施形態の空気浄化装置１では、浄化部１０はその本体１１が、底板１６および排出部２０に対して着脱可能である。つまり、本体１１内にフィルタ１２を収容したまま、本体１１ごとフィルタ１２を底板１６および排出部２０から着脱することができる。
すると、フィルタ１２を交換するときでも、フィルタ１２は吸引口10aと貫通孔10bしか外気と触れることがない。
よって、フィルタ１２を交換する際に、フィルタ１２に付着しているウイルス等が飛散して飛散したウイルスに作業者が感染する可能性を低くすることができる。
【００３０】
しかも、本実施形態の空気浄化装置１では、浄化部１０の本体１１を取り外せば、吸引手段１５が露出することになる。すると、吸引手段１５を装置内に封入している場合に比べて、吸引手段１５のメンテナンス作業を容易かつ迅速に行うことができる。
なお、吸引手段１５が露出したときに、吸引手段１５が収容されていた空間の空気が外部に漏れることになるが、この空気はフィルタ１２を通過した浄化された空気であるので、外気を汚染することはない。同様に、吸引手段１５は浄化された空気のみを吸引しているので、吸引手段１５を外部に露出させても、外気を汚染することは無い。
【００３１】
上述した、本体１１の空間10hにおいて、本体１１の上端と支持プレート１３との間の部分が、特許請求の範囲にいう連通通路に相当し、本体１１の下端と支持プレート１３との間の部分が、特許請求の範囲にいう吸引手段収容部に相当する。
また、上述した、本体２１の空間20hが、特許請求の範囲にいう排気通路に相当する。
さらに、上述した、吸引手段１５および底板１６が、特許請求の範囲にいう吸引部に相当する。
【００３２】
なお、図１、図２、図４に示すように、浄化部１０の本体１１の上端と排気部２０の本体２１の上端とを連結するプレート1aを設けておけば、両者の確実に固定できるが、このプレート1aは設けなくてもよいのは、いうまでもない。
【００３３】
また、浄化部１０の本体１１を排気部２０の本体２１に対して着脱可能としたので、両者間の接続部分、つまり、流入口20aと挿入壁10cとの隙間から空気の漏れが生じる可能性がある。
しかし、上述したように、この隙間から漏れる空気は、フィルタ１２によって浄化された空気であるので、漏れても外気を汚染する可能性はすくない。
しかも、挿入壁10cは、その本体１１外に突出している部分が本体２１の流入口20aに挿入されており、しかも、この部分の外面は流入口20aの内端縁と接触するように形成されている。このため、流入口20aと挿入壁10cとの隙間から空気の漏れは極力少なくすることができる。
なお、浄化部１０の本体１１の側面と排気部２０の本体２１の側面との間に、シール部材などを配置すれば、流入口20aと挿入壁10cとの隙間から外部に空気が漏れることをより確実に防ぐことができるので、より好ましい。
【００３４】
（空気浄化装置１の他の実施形態）
上述した例では、浄化部１０の本体１１として、吸引手段１５を囲う部分も取り外しできるように構成しているものを説明したが、もちろん、吸引手段１５を囲う部分は底板１６に固定されていてもよい。
【００３５】
例えば、図７、８に示すように、浄化部１０の本体部１１を、下端が底板１６に気密に固定された中空空間１１ｈを有する筒状のケースとする。なお、この場合、本体部１１を排気部２０の本体２１と一体に形成してもよい。
そして、本体部１１の中空空間に挿入離脱できるフィルタケース１４を設け、このフィルタケース１４内にフィルタ１２を収容しておく。すると、フィルタケース１４を着脱するだけで、フィルタ１２を交換することができる。
【００３６】
この場合、本体部１１の中空空間１１ｈ内に、中空空間１１ｈを、吸引手段１５を収容する空間11bとフィルタケース１４を配置される空間11aとに分割する分離プレート11dを設ける。そして、分離プレート11dに両空間を連通する連通孔を形成する。
一方、フィルタケース１４は、その下端に連通孔に挿入し得る筒状の挿入部14bを設ける。この挿入部14bは、フィルタケース１４の下端から突出しており、その断面形状が連通孔の形状と相似形に形成されている。そして、連通孔に挿入すれば、吸引手段１５を収容する空間とフィルタケース１４を収容する空間とを気密に隔離できるような構造を有している。
例えば、図７に示すように、挿入部14bを連通孔に挿入すると、挿入部14bの外面が連通孔の内面と密着するように、挿入部14bの外面および／または連通孔の内面に弾性を有するシール部材を設ければ、吸引手段１５を収容する空間とフィルタケース１４を収容する空間とを気密に隔離できる。
また、吸引手段１５を収容する空間11b内に、パッキンを設けても、吸引手段１５を収容する空間とフィルタケース１４を収容する空間とを気密に隔離できる。具体的には、図７に示すように、本体１１の内面と挿入部14bの外面ｂとの間を埋めるパッキン１４を設け、連通孔に挿入部14bの先端部が挿入されると、その挿入部14bの先端部が挿入される孔を形成しておく。この孔を、挿入部14bの先端部と略相似形であるが若干小さいものとすれば、挿入部14bの先端部にパッキン１４が密着するので、吸引手段１５を収容する空間とフィルタケース１４を収容する空間とをより確実に気密に隔離できる。
【００３７】
一方、フィルタケース１４の上面には吸引口10aとなる貫通孔を設ける。そして、この貫通孔の構造を、チューブなどが接続されるパイプＰＡと着脱できる構造とする。具体的には、パイプＰＡの一端（挿入端）に雄ネジを形成しておき、貫通孔の内面にこの雄ネジと螺合する雌ネジを形成しておく。
【００３８】
また、排気部２０の本体２１の排出口20bの内面にも雌ネジを形成し、排出口20bに取り付けられるパイプＰＢの一端（挿入端）にも雄ネジを形成しておく。
【００３９】
かかる構造とすれば、プレート1aを被せて、パイプＰＡの一端をプレート1aの孔に挿通しパイプＰＡの一端を貫通孔に螺合すれば、パイプＰＡとフィルタケース１４によってプレート1aを挟んで、プレート1aと浄化部１０の本体１１とを固定することができる。同様に、パイプＰＢの一端をプレート1aの孔に挿通しパイプＰＢの一端を排気部２０の本体２１の排出口20bに螺合すれば、パイプＰＢと排気部２０の本体２１によってプレート1aを挟んで、プレート1aに排気部２０の本体２１に固定することができる。つまり、プレート1aを介して、フィルタケース１４を排気部２０の本体２１に固定することができる。
【００４０】
しかも、パイプＰＡ，ＰＢを、フィルタケース１４の貫通孔や排気部２０の本体２１の排出口20bに螺合しているだけであるので、プレート1aやフィルタケース１４を、浄化部１０の本体１１や排気部２０の本体２１に簡単に着脱することができる。
【００４１】
なお、図７および図８に示すように、浄化部１０の本体１１および排気部２０の本体２１全体を収容しておくケースＣを設けておいてもよい。かかる構造とすれば、プレート1aを、浄化部１０の本体１１および排気部２０の本体２１の上端に取り付け、樹脂製バンドなどをプレート1aとケースＣに巻きかけるように取り付ければ、プレート1aとケースＣをしっかりと固定しておくことができる。つまり、フィルタケース１４が浄化部１０の本体１１から脱落しないように、フィルタケース１４を浄化部１０の本体１１内に確実に保持させておくことができる。
【００４２】
（気流形成部３０の説明）
また、本実施形態の空気浄化装置１において、空気をそのまま吸引した場合には、吸引した空気に含まれる粉じんや大きな埃などの大きな粒状物もフィルタ１２が捕捉する。すると、大きな粒状物を捕捉したことによりフィルタ１２が目詰まりしやすくなり、かかる目詰まりが生じる時期がフィルタ１２の交換時期となってしまう。つまり、除塵用フィルタの交換時期がフィルタ１２の交換を規定してしまうことになり、除塵用フィルタに比べて高価な細菌等捕捉用フィルタが十分に使用可能な状態であってもフィルタ交換をしなければならず、細菌等捕捉用フィルタを無駄にしてしまう可能性がある。
【００４３】
かかる問題を防ぐ上では、図５に示すような気流形成部３０を設けることが好ましい。
【００４４】
図５において、符号Ｐは、浄化部１０の吸引口10aに取り付けられた配管Ｐを示している。以下では、この配管Ｐにおける、浄化部１０の吸引口10aに取り付けられていない端部を吸引端部という。
図５に示すように、配管Ｐの吸引端部の近傍には、気流形成部３０の一端が配置されている。この気流形成部３０はパイプ等からなり、その他端が排出部２０の本体２１の空間20hと連通されている。
この気流形成部３０は、その一端は閉じられているが、その一端近傍の配管Ｐ側の側面には、貫通孔が形成されている。つまり、気流形成部３０は、空間20h内を流れる空気（つまり、浄化された空気）の一部がその他端から流入しその一端近傍の貫通孔から排出されるように設けられているのである。
しかも、気流形成部３０は、その貫通孔から排出される空気ａの流れが、配管Ｐの吸引端部に吸引される空気ｂの流れと交差するように、好ましくは配管Ｐの開口の軸方向と直交するように、配置されている。
【００４５】
すると、配管Ｐの吸引端部に吸引される空気ｂの一部は、気流形成部３０の一端から排出される空気ａによってその流動が阻害される。すると、空気ｂに含まれるウイルスなどの小さな物質は空気ａの影響を受けにくいが、粉じんや埃等の大きな粒状物は空気ａの影響を強く受けて、配管Ｐの吸引端部からの流入が阻害される。具大的には、空気ｂの流れと交差する方向に吹き飛ばされるのである（図５（Ｂ）参照）。
【００４６】
よって、気流形成部３０を設ければ、その一端から排出される空気ａの影響によって、粉じんや大きな埃などの大きな粒状物が吸引されることを防ぐことができるから、粉じんや埃などによってフィルタ１２が目詰まりすることなどを防ぐことができる。つまり、除塵用フィルタの目詰まりを生じにくくさせることができるので、細菌等捕捉用フィルタを有効活用することができるし、フィルタ１２を長期間使用することが可能となる。そして、フィルタを長期間使用することができるから、空気浄化装置のメンテナンス性等を向上させることができる。
【００４７】
なお、図５では、気流形成部３０の機能を分かり易くするために、浄化部１０の吸引口10aに配管Ｐ等を取り付け、この配管Ｐの開口の近傍に気流形成部３０の他端を配置した場合を例示している。しかし、配管Ｐがない場合でも、気流形成部３０の一端から排出される空気の流れａが吸引口10aに吸引される空気ｂの流れと交差するように配置すれば、同様の効果を得ることができる。
【００４８】
また、気流形成部３０が排出部２０から浄化された空気を取る場所はとくに限定されない。例えば、図９に示すように、排出部２０に取り付けられるパイプＰＢの側面に貫通孔Ｐｈを設けておき（図７参照）、この貫通孔Ｐｈに気流形成部３０の一端を気密に取り付けてもよい。この場合には、排出部２０に気流形成部３０を取り付けるための特別な構造を採用する必要がないので、装置の構造を簡単にできるので、好ましい。
【００４９】
さらに、配管Ｐの吸引端部の前面に、風車を設けてもよい。具体的には、風車を、その回転軸が配管Ｐの吸引端部の軸方向と平行となるように、配管Ｐの吸引端部の前面に配置する。そして、気流形成部３０の一端から排出される空気ａが風車の羽根に当たるように配設する。すると、空気ａによって風車が回転されるので、この風車の回転によって、粉じんや埃等の大きな粒状物を、配管Ｐの吸引端部に向かって流れる気流から除去することができる。
【００５０】
（空気浄化装置の素材について）
上述した空気浄化装置の各部を構成する素材はとくに限定されないが、装置各部の構造物（壁を形成する部材など）を段ボールなどのように焼却処理することができる素材で形成されていれば、使用した空気浄化装置の処理が容易になるので好ましい。具体的には、使用した空気浄化装置からフィルタケース１４と吸引手段１５を取り外せは、そのまま焼却処理できるので、処理が容易になる
なお、フィルタケース１４は、処理する際にフィルタ１２ごとアルコールなどに浸漬して殺菌処理をすることが好ましい。すると、アルコール浸漬処理を行っている間もフィルタ１２を確実に保持しておけるものが望ましい。したがって、フィルタケース１４は、樹脂やアルミなどのように軽量かつある程度強度を保てる素材によって形成しておくことが好ましく、この場合には、フィルタ１２を安全に殺菌処理できるから、殺菌処理後のフィルタ１２およびフィルタケース１４の廃棄も容易になる。
【産業上の利用可能性】
【００５１】
本発明の空気浄化装置は、例えば老人福祉施設や病院、企業や大学などの研究施設や養鶏場・養豚場・牛の飼育場等において、室内の空気を浄化する装置や、ウイルス等が蔓延している場所で作業を行う作業者が使用する空気浄化装置に適している。また、大規模地震が大都会で発生した場合など、劣悪な環境で作業する人々を危険な粉じんから守ることができる。
【符号の説明】
【００５２】
１          空気浄化装置
１０          浄化部
１２          フィルタ
１５          吸引手段
２０          排気部
３０          気流形成部
【図１】
0005258930.tif 000002
【図２】
0005258930.tif 000003
【図３】
0005258930.tif 000004
【図４】
0005258930.tif 000005
【図５】
0005258930.tif 000006
【図６】
0005258930.tif 000007
【図７】
0005258930.tif 000008
【図８】
0005258930.tif 000009
【図９】
0005258930.tif 000010